(57)【要約】【課題】  読取部と磁気カード読取機全体への異物の付着を防止するために読取部も含めて磁気カード読取機全体を収納し、収納状態でもデータを読み取れることで読取後に収納する手間を省くことができ、読み取り中でも異物の付着を防止できるソフトケースを提供する。【解決手段】  磁気カード４０に記録されているデータを読み取る読取部１１を有する携帯型磁気カード読取機１０全体をソフトケース２０に収納し、ソフトケース２０において読取部１１に対向し、開閉可能なファスナー２２を設けている。【選択図】      図１
2009064337.tif 000002
【特許請求の範囲】
【請求項１】
磁気カードがスライド移動した際に、前記磁気カードに記録されているデータを読み取る読取部を有する携帯型磁気カード読取機を収納するソフトケースであって、
前記ソフトケースは、前記読取部に対向配置され、開閉自在なファスナーからなる開閉部を具備し、
前記ファスナーが開いた際に、前記読取部は露出し前記磁気カードは前記読取部をスライド移動可能であり、前記ファスナーは、閉じた際に前記ソフトケースを略密封することを特徴とするソフトケース。
【発明の詳細な説明】
【技術分野】
【０００１】
本発明は、携帯型の磁気カードのデータを読み取る読取部と、読取部を有する磁気カード読取機を収納するソフトケースに関する。
【背景技術】
【０００２】
近年、データが磁気的に記録される携帯型の磁気カードが実用化され、様々な分野で広く普及している。このような磁気カードには、データが磁気的に記録された磁気ストライプが形成されている。
【０００３】
磁気カードに記録されたデータの読み取り方式として、磁気カード読取機は、磁気ストライプを読み取る読取部であるスライド溝を有しており、磁気カードをスライド溝に沿ってスライドさせることで、磁気ストライプからデータを読み取っている。
【０００４】
このようなスライド溝に例えば空気中に浮遊するゴミや紙粉といった粉塵や、水滴などの異物が付着すると、読取精度が低下してしまう。そのためスライド溝は、防止部材によって異物の付着を防止されている。また例えば特許文献１には、携帯無線機等を収納して異物の侵入を防止するソフトケースが開示されている。
【特許文献１】特開２００６−３４５１２２号公報
【発明の開示】
【発明が解決しようとする課題】
【０００５】
しかしながら上述した防止部材は、読取部への異物の付着のみを防止しており、磁気カード読取機全体への異物の付着を防止していない。磁気カード読取機に例えば水滴などの異物が付着すると、正常に動作しない虞が生じる。
【０００６】
また磁気カード読取機全体がソフトケースに収納されていて、異物の付着を防止されていても、データを読み取る際に、ソフトケースから取り出す必要がある。そのため使用している際に異物が読取部に付着してしまう虞が生じる。また使用後において、異物の侵入を防止するために、磁気カード読取機をソフトケースに再び収納する。このように磁気カード読取機を、その都度、ソフトケースに収納、またはソフトケースから取り出すことは、煩わしさを生じさせる虞がある。
【０００７】
そのため本発明は、上記事情に鑑み、読取部と磁気カード読取機全体への異物の付着を防止するために読取部も含めて磁気カード読取機全体を収納し、収納状態でもデータを読み取れることで読取後に収納する手間を省くことができ、読み取り中でも異物の付着を防止できるソフトケースを提供することを目的とする。
【課題を解決するための手段】
【０００８】
本発明は目的を達成するために、磁気カードがスライド移動した際に、前記磁気カードに記録されているデータを読み取る読取部を有する携帯型磁気カード読取機を収納するソフトケースであって、前記ソフトケースは、前記読取部に対向配置され、開閉自在なファスナーからなる開閉部を具備し、前記ファスナーが開いた際に、前記読取部は露出し前記磁気カードは前記読取部をスライド移動可能であり、前記ファスナーは、閉じた際に前記ソフトケースを略密封することを特徴とするソフトケースを提供する。
【０００９】
また本発明は目的を達成するために、前記ファスナーは、前記読取部に対向する前記ソフトケースの内周面において、前記ファスナーが開いていても、前記ソフトケースを略密封する密封部材を有することを特徴とする上記に記載のソフトケースを提供する。
【００１０】
また本発明は目的を達成するために、磁気カードがスライド移動した際に、前記磁気カードに記録されているデータを読み取る読取部を有する携帯型磁気カード読取機を収納するソフトケースであって、前記ソフトケースは、前記読取部に対向配置され、前記読取部と同形状で前記磁気カードがスライド移動可能な開口部と、前記開口部を覆うことで前記読取部を覆う掩覆部と、前記ソフトケースに対して前記掩覆部を着脱させる着脱部と、を具備し、前記着脱部が前記ソフトケースから前記掩覆部を脱離させた際に、前記読取部は露出し前記磁気カードはスライド移動可能であり、前記掩覆部を前記ソフトケースに着設させ、前記前記掩覆部が前記開口部を覆った際に、前記掩覆部は前記読取部を覆うことを特徴とするソフトケースを提供する。
【００１１】
また本発明は目的を達成するために、前記開口部は、前記読取部に対向する前記ソフトケースの内周面において、前記掩覆部が前記ソフトケースから脱離していても、前記読取部を覆う掩覆部材を有することを特徴とする上記に記載のソフトケースを提供する。
【発明の効果】
【００１２】
本発明によれば、読取部と磁気カード読取機全体への異物の付着を防止するために読取部も含めて磁気カード読取機全体を収納し、収納状態でもデータを読み取れることで読取後に収納する手間を省くことができ、読み取り中でも異物の付着を防止できるソフトケースを提供することができる。
【発明を実施するための最良の形態】
【００１３】
以下、図面を参照して本発明の実施形態について詳細に説明する。図１と、図２を参照して第１の実施形態について説明する。図１は、本実施形態において、携帯型磁気カード読取機を収納したソフトケースの概略図を示し、図１（Ａ）は正面図、図１（Ｂ）は右側面図、図１（Ｃ）下側面図は、図１（Ｄ）は上側面図である。図２は、ソフトケースに収納された状態で携帯型磁気カード読取機が磁気カードのデータを読み取る際の概略図を示し、図２（Ａ）は正面図、図２（Ｂ）は右側面図、図２（Ｃ）は下側面図、図２（Ｄ）は上側面図である。
【００１４】
例えば図１（Ａ）と図２（Ａ）に示すように携帯型磁気カード読取機１０には、例えば携帯型の磁気カード４０が携帯型磁気カード読取機１０の長手軸方向にスライド移動可能なスライド溝であり、磁気カード４０をスライドさせることで磁気カード４０に記録されているデータを読み取る読取部１１と、読取部１１から読み取った磁気カード４０のデータを表示する表示部１２と、携帯型磁気カード読取機１０の操作や、表示部１２に対する操作を行う操作部１３が設けられている。
【００１５】
磁気カード４０には、データが磁気的に記録された磁気ストライプが形成されている。そのため読取部１１は、例えば表示部１２から操作部１３に向かってスライドする磁気カード４０における磁気ストライプを読み取ることで、磁気カード４０に記録されているデータを読み取る。
【００１６】
読取部１１は例えば携帯型磁気カード読取機１０の右側面１５に配置され、表示部１２と操作部１３は例えば携帯型磁気カード読取機１０の正面１６に配置される。
【００１７】
この携帯型磁気カード読取機１０は、図１（Ａ）に示すようにソフトケース２０に収納される。これによりソフトケース２０は、携帯型磁気カード読取機１０に対する例えば空気中に浮遊するゴミや紙粉いった粉塵や、水滴などの異物の付着を防止し、携帯型磁気カード読取機１０を保護する。
【００１８】
このソフトケース２０には、例えば図１（Ａ）と図１（Ｄ）に示すように携帯型磁気カード読取機１０を収納し、携帯型磁気カード読取機１０と略同形状であるソフトケース本体部２１と、読取部１１に対向配置され、読取部１１を露出させるために開閉自在なファスナー２２からなる開閉部と、収納されている携帯型磁気カード読取機１０に対して、ソフトケース２０の外側から表示部１２を視認でき、操作部１３を操作できるように、例えば透明に形成されている窓部２３と、が設けられている。窓部２３は、例えばソフトケース２０の正面２８に配置され、表示部１２と操作部１３と対向している。
【００１９】
図１（Ｂ）と図１（Ｃ）と図１（Ｄ）に示すようにファスナー２２は、一対のファスナーテープ２２ａと、ファスナーテープ２２ａにそれぞれ形成されて、互いに噛み合い可能なエレメント２２ｂと、ファスナーテープ２２ａに沿ってスライド移動することでエレメント２２ｂを噛み合わせる、または離れさせるスライダー２２ｃと、を有している。
【００２０】
ファスナー２２は、例えばソフトケース２０の右側面２５と下側面２６と上側面２７に連なって配置され、読取部１１と対向している。詳細にはファスナーテープ２２ａは例えばソフトケース２０の右側面２５と下側面２６と上側面２７に沿って配置され、読取部１１に対向している。
【００２１】
また図１（Ｃ）と図１（Ｄ）に示すようにファスナーテープ２２ａの両端には、スライダー２２ｃのスライド移動を制限する第１の止め部２２ｄと第２の止め部２２ｅが配置されている。第１の止め部２２ｄは上側面２７に配置され、第２の止め部２２ｅは下側面２６に配置される。スライダー２２ｃがファスナーテープ２２ａを第１の止め部２２ｄまでスライド移動すると、エレメント２２ｂが互いに噛み合い、ファスナー２２は閉じる。またスライダー２２ｃがファスナーテープ２２ａを第２の止め部２２ｅまでスライド移動すると、エレメント２２ｂが互いに離れ、ファスナー２２は開く。
【００２２】
本実施形態において、ファスナー２２が開くことで、磁気カード４０は読取部１１を例えば表示部１２から操作部１３に向かってスライド移動可能となり、また携帯型磁気カード読取機１０はファスナー２２からソフトケース２０に出し入れ可能となり、取り出し、または収納される。またファスナー２２が閉じることで、ファスナー２２は、ソフトケース２０を略密封し、ソフトケース２０内に異物が侵入し、読取部１１や携帯型磁気カード読取機１０に異物が付着することを防止する。
【００２３】
このようにファスナー２２は、ソフトケース２０内に異物が侵入し、読取部１１や携帯型磁気カード読取機１０に異物が付着することを防止する防止部でもある。
【００２４】
またファスナー２２は、図２（Ｂ）と図２（Ｃ）と図２（Ｄ）に示すようにファスナーテープ２２ａの内側において、スライドする磁気カード４０の表面の汚れ等をふき取り、ファスナー２２が開いていてもソフトケースを略密封する例えば布等の密封部材２３ｄを有していてもよい。これによりファスナー２２が開き、読取部１１が露出していても、ファスナー２２は、密封部材２３ｄによってソフトケース２０を略密封し、ソフトケース２０内に異物が侵入し、読取部１１や携帯型磁気カード読取機１０に異物が付着することを防止する。密封部材２３ｄは、読取部１１に対向するソフトケース２０の内周面３０に配置されている。また密封部材２３ｄは、ソフトケース本体部２１と同じ材質によって形成されていてもよい。
【００２５】
次に本実施形態の動作方法について説明する。  
図２（Ｄ）に示すようにスライダー２２ｃが第２の止め部２２ｅまでスライド移動すると、エレメント２２ｂが互いに離れ、ファスナー２２は開く。これによりソフトケース２０に収納されている携帯型磁気カード読取機１０において、読取部１１は露出し、磁気カード４０は読取部１１とファスナー２２を例えば表示部１２から操作部１３に向かってスライド移動可能となる。よって図２（Ａ）に示すように磁気カード４０が読取部１１とファスナー２２をスライド移動すると、読取部１１は、磁気ストライプを読み込み、磁気カード４０に記録されているデータを読み取る。その際、図２（Ｂ）と図２（Ｃ）と図２（Ｄ）に示すようにファスナー２２は開いているが、密封部材２３ｄは、ソフトケース２０を略密封し、ソフトケース２０内への異物の侵入を防止し、読取部１１や携帯型磁気カード読取機１０への付着を防止する。表示部１２は、読み取られたデータを表示する。
【００２６】
読取部１１が磁気カード４０からデータを読み取った後、図１（Ｃ）に示すようにスライダー２２ｃが第１の止め部２２ｄまでスライド移動すると、エレメント２２ｂが互いに噛み合い、ファスナー２２は閉じる。これによりソフトケース２０に収納されている携帯型磁気カード読取機１０において、ファスナー２２は、ソフトケース２０を略密封し、ソフトケース２０内への異物の侵入を防止し、読取部１１や携帯型磁気カード読取機１０への付着を防止する。
【００２７】
このように本実施形態は、磁気カード４０に記録されているデータを読み取る読取部１１を有する携帯型磁気カード読取機１０全体をソフトケース２０に収納し、ソフトケース２０に開閉可能なファスナー２２を設けている。
【００２８】
これにより本実施形態は、読取部１１も含めて携帯型磁気カード読取機１０全体を収納でき、読取部１１が磁気カード４０に記録されているデータを読み取らない際に、ファスナー２２を閉じることでソフトケース２０を略密閉でき、ソフトケース２０内への異物の侵入を防止でき、携帯型磁気カード読取機１０への異物の付着と、読取部１１への異物の付着を防止することができる。
【００２９】
また本実施形態は、ファスナー２２を開くことで磁気カード４０を読取部１１にスライド移動させることができるため、携帯型磁気カード読取機１０を収納した状態でも、読取部１１に磁気カード４０に記録されているデータを読み取らせることができる。よって本実施形態は、読み取るために携帯型磁気カード読取機１０をソフトケース２０から出す手間や、読取後に携帯型磁気カード読取機１０をソフトケース２０に収納する手間を省くことができる。
【００３０】
また本実施形態は、密封部材２３ｄを設けている。これにより本実施形態は、ファスナー２２が開き、磁気カード４０がスライド移動し、データを読み取り中でも、密封部材２３ｄによって、ソフトケース２０を略密閉でき、異物のソフトケース２０内への侵入を防止でき、携帯型磁気カード読取機１０への異物の付着と、読取部１１への異物の付着を防止することができる。
【００３１】
なお本実施形態は、１つのスライダー２２ｃによってファスナー２２を開閉させたが、これに限定する必要はなく、例えば２つのスライダー２２ｃを用い、互いが近づくことでファスナー２２を閉じ、互いが離れることでファスナー２２を開くようにしてもよい。
【００３２】
次に図３と、図４を参照して第２の実施形態について説明する。図３は、本実施形態において、携帯型磁気カード読取機を収納したソフトケースの概略図を示し、図３（Ａ）は正面図、図３（Ｂ）は右側面図、図３（Ｃ）は下側面図である。図４は、ソフトケースに収納された状態で携帯型磁気カード読取機が磁気カードのデータを読み取る際の概略図を示し、図４（Ａ）は正面図、図４（Ｂ）は右側面図、図４（Ｃ）は下側面図である。前述した第１の実施形態と同等の部位には同じ参照符合を付し、その詳細な構成、作用、効果等の説明は省略する。  
上述した第１の実施形態において、例えば開閉自在なファスナー２２を用いたが、これに限定する必要はない。例えば図３（Ｃ）と図４（Ｃ）に示すようにソフトケース２０には、読取部１１に対向配置され、読取部１１と略同形状を有し、磁気カード４０がスライド移動可能で、ファスナー２２と同様に配置されている開口部３５と、開口部３５を覆うことで、読取部１１を覆う例えば布３６である掩覆部と、ソフトケース２０に対して布３６を着脱させる例えば面ファスナーであるマジックテープ（登録商標）３８である着脱部が設けられていても良い。
【００３３】
ソフトケース２０内には、読取部１１の右方に配置される右側面２５における開口部３５から多くの異物が侵入し、これにより読取部１１や携帯型磁気カード読取機１０に異物が付着する。そのため布３６は、この異物の侵入を防止するために図３（Ｂ）と図３（Ｃ）に示すように右側面２５における開口部３５を覆うために、ソフトケース２０の底面２９に取り付けられている。なお図３と図４において、布３６は、右側面２５における開口部３５のみを覆っているが、さらに下側面２６における開口部と上側面２７における開口部を覆うように配置されていてもよい。また布３６は、ソフトケース２０全体を覆ってもよい。このように布３６は、ソフトケース２０内に異物が侵入し、読取部１１や携帯型磁気カード読取機１０に異物が付着することを防止する防止部でもある。
【００３４】
マジックテープ（登録商標）３８は、例えば図３（Ｂ）と図３（Ｃ）と図４（Ｂ）と図４（Ｃ）に示すように、布３６と右側面２５に配置され、布３６と右側面２５を付け外し可能な留め具である。
【００３５】
また開口部３５は、例えばソフトケース２０の内側、つまり読取部１１に対向するソフトケース２０の内周面３０において、布３６が右側面２５から脱離しても（外されても）、読取部１１を覆う掩覆部材２３ｅを有していてもよい。
【００３６】
本実施形態において、互いのマジックテープ３８が剥がされ、布３６が右側面２５から外されることで、読取部１１は露出し、磁気カード４０は読取部１１を例えば表示部１２から操作部１３に向かってスライド移動可能となる。またこの状態において、携帯型磁気カード読取機１０は、開口部３５からソフトケース２０に出し入れ可能となり、取り出し、または収納される。また互いのマジックテープ３８が接着し、布３６が右側面２５に着設置し、開口部３５を覆った際、布３６は、読取部１１を覆う。これにより布３６は、ソフトケース２０内に異物が侵入し、読取部１１や携帯型磁気カード読取機１０に異物が付着することを防止する。
【００３７】
次に本実施形態の動作方法について簡単に説明する。  
図４（Ｂ）と図４（Ｃ）に示すように互いのマジックテープ３８が剥がされ、布３６が右側面２５から外れると、第１の実施形態と同様にソフトケース２０に収納されている携帯型磁気カード読取機１０において、読取部１１は露出し、磁気カード４０は読取部１１と開口部３５を例えば表示部１２から操作部１３に向かってスライド移動可能となる。よって図４（Ａ）に示すように磁気カード４０が読取部１１と開口部３５をスライド移動すると、読取部１１は、磁気ストライプを読み込み、磁気カード４０に記録されているデータを読み取る。その際、図４（Ｂ）と図４（Ｃ）に示すように、布３６は右側面２５から外れているが、掩覆部材２３ｅは、読取部１１と開口部３５を覆う。これにより掩覆部材２３ｅは、ソフトケース２０内への異物の侵入を防止し、読取部１１や携帯型磁気カード読取機１０への付着を防止する。表示部１２は、読み取られたデータを表示する。
【００３８】
読取部１１が磁気カード４０からデータを読み取った後、図３（Ｂ）と図３（Ｃ）に示すように布３６は、マジックテープ３８によって右側面２５に接着する（留められる）。これによりソフトケース２０に収納されている携帯型磁気カード読取機１０において、布３６は、開口部３５を覆う。その際、布３６は、読取部１１を覆い、ソフトケース２０内への異物の侵入を防止し、読取部１１や携帯型磁気カード読取機１０への付着を防止する。
【００３９】
これにより本実施形態は、布３６を用いても前述した第１の実施形態と同様の効果を得ることができる。
【００４０】
また本実施形態は、マジックテープ３８を用いているため、布３６によって開口部３５と読取部１１をより素早く覆うことができる。これにより本実施形態は、ソフトケース２０内への異物の侵入を素早く防止でき、携帯型磁気カード読取機１０への異物の付着と、読取部１１への異物の付着を素早く防止することができる。
【００４１】
また本実施形態は、マジックテープ３８を用いているため、右側面２５から布３６を素早く外すことができる。これにより本実施形態は、読取部１１が磁気カード４０に記録されているデータを読み取らないために、布３６が右側面２５に留められている状態から、読取部１１が磁気カード４０に記録されているデータを読み取るために、布３６が右側面２５から外される状態に素早く移行することができる。
【００４２】
また本実施形態は、マジックテープ３８に限定する必要はなく、例えばボタンなどを用いて布３６を右側面２５に留めてもよい。
【００４３】
また本実施形態は、第１の実施形態と組み合わされていても良い。
【００４４】
なお上述した各実施形態において、ソフトケース２０には、ソフトケース２０が例えば地面に落下した際に、地面から伝わる振動などを吸収して携帯型磁気カード読取機１０に振動が伝達することを防止する吸収部材が設けられていてもよい。
【００４５】
また各実施形態において、読取部１１は、磁気カード４０をスライドさせてデータを読み込んだが、これに限定する必要はなく、挿入された磁気カード４０からデータを読み込んでもよい。
【００４６】
また各実施形態において、携帯型磁気カード読取機１０は、ファスナー２２や開口部３５からソフトケース２０に出し入れ可能としているが、これに限定する必要はない。例えば、ソフトケース２０は、携帯型磁気カード読取機１０を出し入れ可能な図示しない開口部を有していても良い。
【００４７】
このように本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【図面の簡単な説明】
【００４８】
【図１】図１は、本実施形態において、携帯型磁気カード読取機を収納したソフトケースの概略図を示し、図１（Ａ）は正面図、図１（Ｂ）は右側面図、図１（Ｃ）は下側面図、図１（Ｄ）は上側面図である。
【図２】図２は、ソフトケースに収納された状態で携帯型磁気カード読取機が磁気カードのデータを読み取る際の概略図を示し、図２（Ａ）は正面図、図２（Ｂ）は右側面図、図２（Ｃ）は下側面図、図２（Ｄ）は上側面図である。
【図３】図３は、本実施形態において、携帯型磁気カード読取機を収納したソフトケースの概略図を示し、図３（Ａ）は正面図、図３（Ｂ）は右側面図、図３（Ｃ）は下側面図である。
【図４】図４は、ソフトケースに収納された状態で携帯型磁気カード読取機が磁気カードのデータを読み取る際の概略図を示し、図４（Ａ）は正面図、図４（Ｂ）は右側面図、図４（Ｃ）は下側面図である。
【符号の説明】
【００４９】
１０…携帯型磁気カード読取機、１１…読取部、１２…表示部、１３…操作部、１５…右側面、１６…正面、２０…ソフトケース、２１…ソフトケース本体部、２２…ファスナー、２２ａ…ファスナーテープ、２２ｂ…エレメント、２２ｃ…スライダー、２３…窓部、２３ｄ…密封部材、２３ｅ…掩覆部材、２５…右側面、２６…下側面、２７…上側面、２８…正面、２９…底面、３０…内周面、３５…開口部、３６…布、３８…マジックテープ、４０…磁気カード
【図１】
2009064337.tif 000003
【図２】
2009064337.tif 000004
【図３】
2009064337.tif 000005
【図４】
2009064337.tif 000006